(57)【要約】  本発明は、衝撃及び騒音減衰装置であって、多数の弾性チップが集まって構成される弾性部材と；前記弾性部材を圧縮して収容する弾性容器と；を含んでなり、前記弾性容器は、底板と；前記底板の上側に結合され、下側は開放され、上側は中央部に穿設された貫通口を有する中空柱状のボディと；前記ボディの内部でありながら前記弾性部材の上側に備えられ、外部の衝撃に対応して上下に振動しつつ前記弾性部材に前記衝撃を伝達する圧縮部材と；を含む。本発明は、結合剤を使用しないことにより、有害物質の放出がなくて室内でも使用可能であり、弾性チップの弾性力の減少がなく、弾性チップまたは結合剤の破損による微細粉塵の放出や耐久性の低下がなく、弾性容器を改善して弾性容器の高さ及び方向調節が容易であり、弾性チップを容易に圧縮することができるうえ、弾性チップの圧縮量を容易に調節することができる。【選択図】図１ｂ
2019506547.tif 000002
【特許請求の範囲】
【請求項１】
衝撃による振動または騒音の発生を防止または減衰させる衝撃及び騒音減衰装置であって、
前記衝撃及び騒音減衰装置は、
多数の弾性チップが集まって構成される弾性部材と、
前記弾性部材を圧縮して収容する弾性容器とを含んでなり、
前記弾性容器は、
底板と、
前記底板の上側に結合されるもので、下側は開放され、上側は中央部に穿設された貫通口を有する中空柱状のボディと、
前記ボディの内部でありながら前記弾性部材の上側に備えられ、外部の衝撃に対応して上下に振動しつつ前記弾性部材に前記衝撃を伝達する圧縮部材とを含む、衝撃及び騒音減衰装置。
【請求項２】
前記圧縮部材は、
前記ボディの内部でありながら前記弾性部材の上側に備えられる圧縮板と、前記圧縮板の上側に結合され、前記貫通口の上方へ突出する頸部とを含んで構成されることを特徴とする、請求項１に記載の衝撃及び騒音減衰装置。
【請求項３】
前記弾性部材は、多数の弾性チップの上側または／及び下側に吸音材が備えられたことを特徴とする、請求項１または２に記載の衝撃及び騒音減衰装置。
【請求項４】
前記ボディには空気孔が設けられたことを特徴とする、請求項１または２に記載の衝撃及び騒音減衰装置。
【請求項５】
前記頸部は、中空円柱状をし、内面にねじが形成され、
前記頸部のねじに結合されて回転することにより高さが調節される円柱状の据置台をさらに含むことを特徴とする、請求項２に記載の衝撃及び騒音減衰装置。
【請求項６】
前記頸部は、中空柱からなるか、或いは周方向に沿って互いに離隔して設置される複数の支持板からなり、
前記頸部の内側には柱状の据置台が設置されることを特徴とする、請求項２に記載の衝撃及び騒音減衰装置。
【請求項７】
前記弾性部材の圧縮は、
前記ボディを覆して設置し、前記ボディの貫通口に前記頸部が下方へ突出するように前記圧縮部材を設置し、前記ボディの内側に、上下側が開放され、前記ボディよりも長さが長く且つ前記底板による押圧の際に変形し易い中空柱状の圧縮調整容器を設置し、前記圧縮調整容器の内側に前記弾性部材を投入し、前記底板で前記弾性部材と前記圧縮調整容器を一緒に押圧して前記弾性部材を圧縮した後、前記ボディに結合することにより行われることを特徴とする、請求項２に記載の衝撃及び騒音減衰装置。
【請求項８】
前記ボディは、その下端部に結合され且つフレキシブルに曲げられる曲げ部を含み、
前記弾性部材の圧縮は、
前記ボディを覆して設置し、前記ボディの貫通口に前記頸部が下方へ突出するように前記圧縮部材を設置し、前記ボディと前記曲げ部の内側に前記弾性部材を投入し、前記底板で前記弾性部材と前記曲げ部を一緒に押圧して前記弾性部材を圧縮した後、前記ボディに結合することにより行われることを特徴とする、請求項２に記載の衝撃及び騒音減衰装置。
【請求項９】
前記曲げ部は垂直方向に複数の切開部が形成されたことを特徴とする、請求項８に記載の衝撃及び騒音減衰装置。
【請求項１０】
前記曲げ部は下端部の外側に傾斜切り取り部が形成されたことを特徴とする、請求項８に記載の衝撃及び騒音減衰装置。
【請求項１１】
前記据置台の上側に備えられる支持部を含むことを特徴とする、請求項５または６に記載の衝撃及び騒音減衰装置。
【請求項１２】
前記支持部は、その平面形状が一字状、Ｌ字状、Ｔ字状及び十字状のいずれか一つであり、その上側に角材の嵌め込まれる溝を有する形状であることを特徴とする、請求項１１に記載の衝撃及び騒音減衰装置。
【請求項１３】
前記支持部は、その中心から前記ボディの外側に延びる複数の水平部と、前記複数の水平部それぞれから下方に折り曲げられる垂直折曲部と、前記垂直折曲部から水平方向に折り曲げられる水平折曲部と、前記垂直折曲部と前記水平折曲部とを連結するハンチ部とを含み、
前記垂直折曲部と前記水平折曲部と前記ハンチ部が形成する空間に角材が挿入されて支持されることを特徴とする、請求項１１に記載の衝撃及び騒音減衰装置。
【請求項１４】
前記弾性容器はプラスチック、ＰＥ、ＰＰまたは鉄材からなることを特徴とする、請求項１または２に記載の衝撃及び騒音減衰装置。
【請求項１５】
前記弾性チップは廃タイヤチップ、ゴムチップ及びＳＥＢＳ（スチレンエチレンブチレンスチレン）チップから選ばれる少なくとも１種から構成されることを特徴とする、請求項１または２に記載の衝撃及び騒音減衰装置。
【請求項１６】
前記弾性チップは、ＰＰ（ポリプロピレン）チップ、ＰＥ（ポリエチレン）チップ、プラスチックチップ及び木質チップから選ばれる少なくとも１種をさらに含むことを特徴とする、請求項１５に記載の衝撃及び騒音減衰装置。
【請求項１７】
前記弾性チップは、サイズが同じものであるか、或いはサイズが互いに異なるものを混合したものである、請求項１または２に記載の衝撃及び騒音減衰装置。
【請求項１８】
前記弾性チップは、微粉の米粉、小麦粉、大麦粉及び炭粉の中から少なくとも１種をさらに含む、請求項１または２に記載の衝撃及び騒音減衰装置。
【請求項１９】
請求項２に記載の衝撃及び騒音減衰装置を用いた共同住宅浮き床構造であって、
床に格子状に配置される複数の前記衝撃及び騒音減衰装置と、
前記格子状に配置された複数の衝撃及び騒音減衰装置の頸部の上側を連結して設置される床板設置ガイドと、
前記床板設置ガイドの上側に設置される床板とを含む、衝撃及び騒音減衰装置を用いた共同住宅浮き床構造。
【請求項２０】
衝撃及び騒音減衰装置の製造方法であって、
下側は開放され、上側は中央部に穿設された貫通口を有する中空柱状のボディを覆して設置する第１段階と、
圧縮板と、前記圧縮板の上側に結合される頸部とを含む圧縮部材を覆して、前記ボディの貫通口の下方へ前記頸部が突出するように設置する第２段階と、
前記ボディの内側に、上下側が開放され、前記ボディよりも長さが長く且つ押圧の際に変形し易い中空柱状の圧縮調整容器を設置する第３段階と、
前記圧縮調整容器の内側に、多数の弾性チップが集まって構成される弾性部材を投入する第４段階と、
底板で前記弾性部材と前記圧縮調整容器を一緒に押圧して圧縮した後、前記ボディに結合する第５段階とを含んでなる、衝撃及び騒音減衰装置の製造方法。
【請求項２１】
前記頸部は、中空円柱状をし、内面にねじが形成されていることを特徴とする、請求項２０に記載の衝撃及び騒音減衰装置の製造方法。
【請求項２２】
前記第５段階の後、
前記衝撃及び騒音減衰装置を覆す第６段階と、
前記頸部のねじに結合され、回転することにより高さが調節される円柱状の据置台を設置する第７段階とをさらに含むことを特徴とする、請求項２１に記載の衝撃及び騒音減衰装置の製造方法。
【請求項２３】
衝撃及び騒音減衰装置の製造方法であって、
下側は開放され、上側は中央部に穿設された貫通口を有する中空柱状のボディを覆して設置するＡ段階と、
圧縮板と、前記圧縮板の上側に結合される頸部とを含む圧縮部材を覆して、前記ボディの貫通口の下方へ前記頸部が突出するように設置するＢ段階と、
多数の弾性チップが集まって構成される弾性部材が内側に投入された後、密封されるものであって、幅は前記ボディの内側の幅と同一であり、長さは前記ボディの長さよりも長く且つ押圧の際に変形し易い柱状の圧縮調整容器を、前記ボディの内側に設置するＣ段階と、
底板で前記弾性部材と前記圧縮調整容器を一緒に押圧して圧縮した後、前記ボディに結合するＤ段階とを含んでなる、衝撃及び騒音減衰装置の製造方法。
【請求項２４】
衝撃及び騒音減衰装置の製造方法であって、
下側は開放されるとともに、フレキシブルに曲げられる曲げ部が結合され、上側は中央部に穿設された貫通口を有する中空状のボディを覆して設置するＩ段階と、
圧縮板と、前記圧縮板の上側に結合される頸部とを含む圧縮部材を覆して、前記ボディの貫通口の下方へ前記頸部が突出するように設置するＩＩ段階と、
前記ボディと前記曲げ部の内側に、多数の弾性チップが集まって構成される弾性部材を投入するＩＩＩ段階と、
底板で前記弾性部材と前記曲げ部を一緒に押圧して圧縮した後、前記ボディに結合するＩＶ段階とを含んでなる、衝撃及び騒音減衰装置の製造方法。
【請求項２５】
前記頸部は、中空柱からなるか、或いは周方向に沿って互いに離隔して設置される複数の支持板からなる、請求項２４に記載の衝撃及び騒音減衰装置の製造方法。
【発明の詳細な説明】
【技術分野】
【０００１】
本発明は、衝撃及び騒音減衰装置、その製造方法、及びそれを用いた共同住宅浮き床構造に関する。
【背景技術】
【０００２】
最近、産業技術の発達及び生活水準の向上などに伴い、機械装置などによる騒音、共同住宅などにおける層間騒音などを予防または低減しなければならないという要求が増加している。
【０００３】
一方、現代社会は、自動車の増加により廃タイヤが急増し、この廃タイヤによる環境汚染の問題や処理コストの問題も大きく増加している。ところが、これに比べて、廃タイヤの処理が難しく、リサイクルが不十分である。
【０００４】
かかる問題を同時に解決するための方法として、廃タイヤチップを用いて衝撃及び騒音を減衰させる装置や方法などが開発されている。
【０００５】
ところが、このような装置や方法などはいずれも、廃タイヤを粉砕した廃タイヤチップを結合剤と結合して使用しているが、これは次の問題を抱えている。
【０００６】
廃タイヤチップを結合する結合剤により有害物質が放出されて健康に有害であるため、室内での使用が限られている。
【０００７】
また、廃タイヤチップが結合剤によって相互結合されることにより、廃タイヤチップ自体の弾性力が低下するとともに、硬化した結合剤によって廃タイヤチップの弾性変形が抑制されて弾性力が低下する。
【０００８】
また、結合剤で結合された廃タイヤチップが反復的な衝撃によって破損して耐久性が低下するうえ、微細粉塵などが放出される。
【０００９】
また、結合剤なしで廃タイヤチップ自体を弾性部材として利用しようとする場合、廃タイヤチップの弾性力をうまく発揮するようにする装置や技術がない。
【先行技術文献】
【特許文献】
【００１０】
【特許文献１】韓国特許第１０−０２７２８５８号明細書
【特許文献２】特開２０００−２８３２１８号公報
【発明の概要】
【発明が解決しようとする課題】
【００１１】
本発明は、上述した問題点を解決するためになされたもので、その目的は、結合剤を使用しないことにより、有害物質の放出がなくて室内でも使用可能である、衝撃及び騒音減衰装置、その製造方法、及びそれを用いた共同住宅浮き床構造を提供することにある。
【００１２】
また、本発明の他の目的は、結合剤を使用しないことにより、弾性チップの弾性力の減少がない、衝撃及び騒音減衰装置、その製造方法、及びそれを用いた共同住宅浮き床構造を提供することにある。
【００１３】
また、本発明の別の目的は、結合剤を使用しないことにより、弾性チップまたは結合剤の破損による微細粉塵の放出や耐久性の低下がない、衝撃及び騒音減衰装置、その製造方法、及びそれを用いた共同住宅浮き床構造を提供することにある。
【００１４】
また、本発明の別の目的は、弾性容器を改善して弾性容器の高さ及び方向調節が容易であり、弾性チップを容易に圧縮することができ、弾性チップの圧縮量を容易に調節することができる、衝撃及び騒音減衰装置、その製造方法、及びそれを用いた共同住宅浮き床構造を提供することにある。
【課題を解決するための手段】
【００１５】
本発明の一例による衝撃及び騒音減衰装置は、衝撃による振動または騒音の発生を防止または減衰させる衝撃及び騒音減衰装置であって、前記衝撃及び騒音減衰装置は、多数の弾性チップが集まって構成される弾性部材と；前記弾性部材を圧縮して収容する弾性容器と；を含んでなり、前記弾性容器は、底板と；前記底板の上側に結合されるもので、下側は開放され、上側は中央部に穿設された貫通口を有する中空柱状のボディと；前記ボディの内部でありながら前記弾性部材の上側に備えられ、外部の衝撃に対応して上下に振動しつつ前記弾性部材に前記衝撃を伝達する圧縮部材と；を含むことができる。
【００１６】
また、前記圧縮部材は、前記ボディの内部でありながら前記弾性部材の上側に備えられる圧縮板と、前記圧縮板の上側に結合され、前記貫通口の上方へ突出する頸部とを含んで構成されることを特徴とすることができる。
【００１７】
また、前記弾性部材は、多数の弾性チップの上側または／及び下側に吸音材が備えられ得る。
【００１８】
また、前記ボディには空気孔が設けられ得る。
【００１９】
また、前記頸部は、中空円柱状をするもので、内面にねじが形成されており、前記頸部のねじに結合されて回転することにより高さが調節される円柱状の据置台をさらに含むことができる。
【００２０】
また、前記頸部は、中空柱からなるか、或いは周方向に沿って互いに離隔して設置される複数の支持板からなり、前記頸部の内側には柱状の据置台が設置され得る。
【００２１】
また、前記弾性部材の圧縮は、前記ボディを覆して設置し、前記ボディの貫通口に前記頸部が下方へ突出するように前記圧縮部材を設置し、前記ボディの内側に、上下側が開放され、前記ボディよりも長さが長く且つ前記底板による押圧の際に変形し易い中空柱状の圧縮調整容器を設置し、前記圧縮調整容器の内側に前記弾性部材を投入し、前記底板で前記弾性部材と前記圧縮調整容器を一緒に押圧して前記弾性部材を圧縮した後、前記ボディに結合することにより行われ得る。
【００２２】
また、前記ボディは、その下端部に結合され且つフレキシブルに曲げられる曲げ部を含み、前記弾性部材の圧縮は、前記ボディを覆して設置し、前記ボディの貫通口に前記頸部が下方へ突出するように前記圧縮部材を設置し、前記ボディと前記曲げ部の内側に前記弾性部材を投入し、前記底板で前記弾性部材と前記曲げ部を一緒に押圧して前記弾性部材を圧縮した後、前記ボディに結合することにより行われ得る。
【００２３】
また、前記曲げ部は、垂直方向に複数の切開部が形成できる。
【００２４】
また、前記曲げ部は、下端部の外側に傾斜切り取り部が形成できる。
【００２５】
また、前記据置台の上側に備えられる支持部を含むことができる。
【００２６】
また、前記支持部は、その平面形状が一字状、Ｌ字状、Ｔ字状及び十字状のいずれか一つであり、その上側に角材の嵌め込まれる溝を有する形状であり得る。
【００２７】
また、前記支持部は、その中心から前記ボディの外側に延びる複数の水平部と、前記複数の水平部それぞれから下方に折り曲げられた垂直折曲部と、前記垂直折曲部から水平方向に折り曲げられる水平折曲部と、前記垂直折曲部と前記水平折曲部とを連結するハンチ（ｈｕｎｃｈ）部とを含み、前記垂直折曲部と前記水平折曲部と前記ハンチ部が形成する空間に角材が挿入されて支持されるものであり得る。
【００２８】
また、前記弾性容器はプラスチック、ＰＥ、ＰＰまたは鉄材からなってもよい。
【００２９】
また、前記弾性チップは廃タイヤチップ、ゴムチップ、ＳＥＢＳ（スチレンエチレンブチレンスチレン）チップから選ばれる少なくとも１種から構成できる。
【００３０】
また、前記弾性チップは、ＰＰ（ポリプロピレン）チップ、ＰＥ（ポリエチレン）チップ、プラスチックチップ及び木質チップから選ばれる少なくとも１種をさらに含むことができる。
【００３１】
また、前記弾性チップは、サイズが同じものであるか、或いはサイズが互いに異なるものを混合したものであり得る。
【００３２】
また、前記弾性チップは、微粉の米粉、小麦粉、大麦粉及び炭粉の中から少なくとも１種をさらに含むことができる。
【００３３】
本発明の一例による衝撃及び騒音減衰装置を用いた共同住宅浮き床構造は、床に格子状に配置される複数の前記衝撃及び騒音減衰装置と、前記格子状に配置された複数の衝撃及び騒音減衰装置の頸部の上側を連結して設置される床板設置ガイドと、前記床板設置ガイドの上側に設置される床板とを含むことができる。
【００３４】
本発明の一例による衝撃及び騒音減衰装置の製造方法は、下側は開放され、上側は中央部に穿設された貫通口を有する中空柱状のボディを覆して設置する第１段階と、圧縮板と、前記圧縮板の上側に結合される頸部とを含む圧縮部材を覆して、前記ボディの貫通口の下方へ前記頸部が突出するように設置する第２段階と、前記ボディの内側に、上下側が開放され、前記ボディよりも長さが長く且つ押圧の際に変形し易い中空柱状の圧縮調整容器を設置する第３段階と、前記圧縮調整容器の内側に、多数の弾性チップが集まって構成される弾性部材を投入する第４段階と、底板で前記弾性部材と前記圧縮調整容器を一緒に押圧して圧縮した後、前記ボディに結合する第５段階とを含んでなることができる。
【００３５】
また、前記頸部は、中空円柱状をし、内面にねじが形成できる。
【００３６】
また、前記第５段階の後、前記衝撃及び騒音減衰装置を覆す第６段階と、前記頸部のねじに結合されて回転することにより高さが調節される円柱状の据置台を設置する第７段階とをさらに含むことができる。
【００３７】
本発明の他の一例による衝撃及び騒音減衰装置の製造方法は、下側は開放され、上側は中央部に穿設された貫通口を有する中空柱状のボディを覆して設置するＡ段階と、圧縮板と、前記圧縮板の上側に結合される頸部とを含む圧縮部材を覆して、前記ボディの貫通口の下方へ前記頸部が突出するように設置するＢ段階と、多数の弾性チップが集まって構成される弾性部材が内側に投入された後、密封されるものであって、幅は前記ボディの内側の幅と同一であり、長さは前記ボディの長さよりも長く且つ押圧の際に変形し易い柱状の圧縮調整容器を、前記ボディの内側に設置するＣ段階と、底板で前記弾性部材と前記圧縮調整容器を一緒に押圧して圧縮した後、前記ボディに結合するＤ段階とを含んでなることができる。
【００３８】
本発明の別の一例による衝撃及び騒音減衰装置の製造方法は、下側は開放されるとともに、フレキシブルに曲げられる曲げ部が結合され、上側は中央部に穿設された貫通口を有する中空状のボディを覆して設置するＩ段階と、圧縮板と、前記圧縮板の上側に結合される頸部とを含む圧縮部材を覆して、前記ボディの貫通口の下方へ前記頸部が突出するように設置するＩＩ段階と、前記ボディと前記曲げ部の内側に、多数の弾性チップが集まって構成される弾性部材を投入するＩＩＩ段階と、底板で前記弾性部材と前記曲げ部を一緒に押圧して圧縮した後、前記ボディに結合するＩＶ段階とを含んでなることができる。
【００３９】
また、前記頸部は、中空柱からなるか、或いは周方向に沿って互いに離隔して設置される複数の支持板からなり得る。
【発明の効果】
【００４０】
本発明は、結合剤を使用しないことにより、有害物質の放出がなくて室内でも使用可能であるという効果を提供することができる。
【００４１】
また、本発明は、結合剤を使用しないことにより、弾性チップの弾性力の減少がないという効果を提供することができる。
【００４２】
また、本発明は、結合剤を使用しないことにより、弾性チップまたは結合剤の破損による微細粉塵の放出や耐久性の低下がないという効果を提供することができる。
【００４３】
また、本発明は、弾性容器を改善して弾性容器の高さ及び方向調節が容易であり、弾性チップを容易に圧縮することができ、弾性チップの圧縮量を容易に調節することができるという効果を提供することができる。
【図面の簡単な説明】
【００４４】
【図１ａ】本発明の一例による衝撃及び騒音減衰装置の設置図、斜視図及び分解斜視図である。
【図１ｂ】本発明の一例による衝撃及び騒音減衰装置の設置図、斜視図及び分解斜視図である。
【図１ｃ】本発明の一例による衝撃及び騒音減衰装置の設置図、斜視図及び分解斜視図である。
【図１ｄ】本発明の一例による衝撃及び騒音減衰装置が製造されることを示すフローチャートである。
【図１ｅ】本発明の一例による衝撃及び騒音減衰装置が製造されることを示すフローチャートである。
【図１ｆ】本発明の一例による衝撃及び騒音減衰装置が製造されることを示すフローチャートである。
【図２ａ】本発明の一例による衝撃及び騒音減衰装置の頸部に据置台が結合された様子を示す図である。
【図２ｂ】本発明の一例による衝撃及び騒音減衰装置の頸部に据置台が結合された様子を示す図である。
【図２ｃ】本発明の一例による衝撃及び騒音減衰装置の頸部に据置台が結合された様子を示す図である。
【図２ｄ】本発明の一例による衝撃及び騒音減衰装置の頸部に据置台が結合された様子を示す図である。
【図２ｅ】本発明の一例による衝撃及び騒音減衰装置の頸部に据置台が結合された様子を示す図である。
【図２ｆ】本発明の一例による衝撃及び騒音減衰装置の頸部に据置台が結合された様子を示す図である。
【図３ａ】本発明の一例による衝撃及び騒音減衰装置の頸部または据置台の上側に支持部が設置された様子を示す図である。
【図３ｂ】本発明の一例による衝撃及び騒音減衰装置の頸部または据置台の上側に支持部が設置された様子を示す図である。
【図３ｃ】本発明の一例による衝撃及び騒音減衰装置の頸部または据置台の上側に支持部が設置された様子を示す図である。
【図３ｄ】本発明の一例による衝撃及び騒音減衰装置の頸部または据置台の上側に支持部が設置された様子を示す図である。
【図３ｅ】本発明の一例による衝撃及び騒音減衰装置の頸部または据置台の上側に支持部が設置された様子を示す図である。
【図３ｆ】本発明の一例による衝撃及び騒音減衰装置の頸部または据置台の上側に支持部が設置された様子を示す図である。
【図３ｇ】本発明の一例による衝撃及び騒音減衰装置の頸部または据置台の上側に支持部が設置された様子を示す図である。
【図３ｈ】本発明の一例による衝撃及び騒音減衰装置の頸部または据置台の上側に支持部が設置された様子を示す図である。
【図３ｉ】本発明の一例による衝撃及び騒音減衰装置の頸部または据置台の上側に支持部が設置された様子を示す図である。
【図４ａ】本発明の一例による衝撃及び騒音減衰装置を用いた共同住宅浮き床構造を示す図である。
【図４ｂ】本発明の一例による衝撃及び騒音減衰装置を用いた共同住宅浮き床構造を示す図である。
【図４ｃ】本発明の一例による衝撃及び騒音減衰装置を用いた共同住宅浮き床構造を示す図である。
【発明を実施するための形態】
【００４５】
以下、本発明の一部の実施形態を例示的な図面に基づいて詳細に説明する。各図面の構成要素に参照符号を付加するにあたり、同一の構成要素については、たとえ他の図面上に表示されても、できる限り同一の符号を持つようにしている。また、本発明の実施形態を説明するにあたり、関連する公知の構成または機能についての具体的な説明が本発明の実施形態に対する理解を妨げると判断された場合には、その詳細説明は省略する。
【００４６】
また、本発明の実施形態の構成要素を説明するにあたり、第１、第２、Ａ、Ｂ、（ａ）、（ｂ）などの用語を使用することができる。これらの用語は、一つの構成要素を他の構成要素と区別するためのものに過ぎず、該当構成要素の本質や順番、順序などを限定するものではない。ある構成要素が他の構成要素に「連結」、「結合」または「接続」されると記載されている場合、その構成要素はその他の構成要素に直接連結または接続されてもよいが、これらの構成要素同士の間に別の構成要素が「連結」、「結合」または「接続」されてもよいと理解されるべきである。
【００４７】
以下、添付図面を参照して、本発明の一例による衝撃及び騒音減衰装置、その製造方法、及びそれを用いた共同住宅浮き床構造を詳細に説明する。
【００４８】
図１を参照すると、本発明の一例による衝撃及び騒音減衰装置は、外部から加わる衝撃による振動や騒音の発生を防止または減衰させる。本実施形態は、多数の弾性チップが集まって構成される弾性部材１０と、前記弾性部材１０を圧縮して収容する弾性容器２０とを含んでなることができる。本実施形態は、共同住宅浮き床構造の他に、機械装置などにも使用可能である。
【００４９】
弾性部材１０は、弾性チップの単純な集合体であって、結合剤を含まない。弾性部材１０は、外部からの衝撃に対応して弾性チップ自体の弾性収縮と共に、弾性チップ間の空隙が充填された後、弾性チップが再び膨張すると同時に充填された空隙が復帰することにより、衝撃を吸収する。これにより、外部の衝撃から発生する振動や騒音を防止または減衰させる。
【００５０】
弾性チップは、結合剤で結合されず、弾性チップの単純な集合体として使用される。よって、結合剤から流出する有害物質の流出が防止されるため、室内でも使用可能である。また、結合剤の結合による弾性チップの弾性変形の抑制や、硬化した結合剤による弾性変形の抑制が防止される。よって、弾性力が低下せず、弾性チップの弾性力がそのまま維持される。また、結合剤で結合された弾性チップが反復的な衝撃により破損して発生する微細粉塵などが著しく低減する。
【００５１】
弾性部材１０を構成する弾性チップは、廃タイヤを細かく切って作った廃タイヤチップが使用できる。前記廃タイヤチップを使用することにより、環境問題を解決するとともにコストダウンを図ることができる。
【００５２】
また、弾性チップは、廃タイヤチップ、ゴムチップ、ＳＥＢＳ（Ｓｔｙｒｅｎｅ  Ｅｔｈｙｌｅｎｅ  Ｂｕｔｙｌｅｎｅ  Ｓｔｙｒｅｎｅ、スチレンエチレンブチレンスチレン）チップから選ばれる少なくとも１種から構成できる。すなわち、廃タイヤチップ、ゴムチップまたはＳＥＢＳチップから構成するか、或いはこれらの２種以上を混合して構成することができる。前記ＳＥＢＳチップは、熱可塑性ゴムであって、加硫処理なしで物理的攪拌のみによってゴム的性質を示す合成樹脂である。このＳＥＢＳは、ゴムと同様の高性能の弾性体であって、スチレン系、オレフィン系、ＰＶＣ系、ポリアミド系などに分けられる。
【００５３】
また、弾性チップは、ＰＰ（ポリプロピレン）チップ、ＰＥ（ポリエチレン）チップ、プラスチックチップ及び木質チップから選ばれる少なくとも１種をさらに含むことができる。例えば、廃タイヤチップにＰＰチップ、ＰＥチップ、プラスチックチップ及び木質チップから選択される少なくとも１種のチップをさらに含むか、或いは、廃タイヤチップとゴムチップとの混合物にＰＰチップ、ＰＥチップ、プラスチックチップ及び木質チップから選ばれる少なくとも１種のチップをさらに含むことができる。このように材質の異なるチップを混合することにより、衝撃に必要な弾性力を得る上で有利である。つまり、大きい弾性力が必要な場合には弾性力の大きいチップを多く使用し、小さい弾性力が必要な場合には弾性力の小さいチップを多く使用することができる。また、これらのチップの混合は、同じ弾性力が必要な状況でコストを考慮して混合することもできる。すなわち、できる限度内でコストの低い弾性チップを使用することができる。
【００５４】
また、前記弾性チップは、サイズの同じ粒子を使用するか、或いは、サイズの異なる粒子を混ぜて使用することもできる。サイズが同じ場合には、弾性チップが他の弾性チップの間に混入されなくなるので空隙が大きく、結果として弾性変形が大きくなる。よって、伸縮が円滑で柔らかい弾性力を発揮することができる。これに対し、大きい弾性チップと小さい弾性チップとを混ぜて使用する場合、小さい弾性チップが大きい弾性チップに混入されて弾性チップ同士の間の空隙が小さいため、弾性力が大きいという効果がある。
【００５５】
また、弾性チップに微粉の米粉、小麦粉、大麦粉及び炭粉の少なくとも１種をさらに含むことができる。この微粉の米粉などは、摩擦力を減少させて弾性チップの破損や摩損を防止することができる。また、米粉などが弾性チップの空隙に充填される場合、弾性チップの変形が抑制され、それにより弾性力を調節することができる。特に、炭粉は、空気中の汚染成分や有害な物質を吸着し、分解して空気を浄化させ、匂いを除去するうえ、湿気を吸収または放出して湿度を調節する。
【００５６】
また、弾性部材１０は、多数の弾性チップの上側または／及び下側に吸音材１２を含むことができる。つまり、弾性チップの上側に吸音材１２を備えるか、弾性チップの下側に吸音材１２を備えるか、或いは上側と下側の両方ともに吸音材１２を備えることができる。このように吸音材１２を含む場合、外部からの騒音を吸収することができるとともに、衝撃及び騒音減衰装置自体から発生する騒音も吸収することができる。
【００５７】
また、前記吸音材１２は、後述する圧縮調整容器６０に、弾性チップより先に投入するか、弾性チップより後に投入するか、または先と後の両方ともに投入することができる。この吸音材１２は、弾性チップの投入の際に圧縮調整容器６０の形状を維持し、これと同時に弾性チップが外部に散らばらないようにすることにより、弾性チップの投入に非常に便利である。吸音材１２は、吸音効果のある材料、例えばポリエステルなどを使用することができる。
【００５８】
弾性容器２０は、弾性チップが外部へ流出することを防止し、弾性容器２０に作用する衝撃に対応して弾性チップが弾性的に抵抗するように結束する。つまり、弾性容器２０は、衝撃が作用するとき、弾性チップが弾性容器２０の外部へ流出することを防止し、弾性収縮するようにすることにより衝撃を吸収する。
【００５９】
前記弾性容器２０は、プラスチック、ＰＥ、ＰＰ、鉄材などを使用することができるが、いずれも反復的に作用する荷重や衝撃を十分支持することができ、荷重や衝撃に対応して弾性チップを結束することができなければならない。
【００６０】
弾性容器２０は、底板２１と、底板２１の上側に結合されるボディ２３と、前記ボディ２３の上側に備えられ、外部の衝撃を弾性部材１０へ伝達する圧縮部材２５とを含むことができる。
【００６１】
底板２１は、最も下側に設置されるものであって、円形、四角形、六角形などの形状に形成され、上側にはボディ２３が結合できる。
【００６２】
底板２１の上側には、ボディ２３が結合されるための係止具が備えられ得る。すなわち、単純な平板状の水平部からなる底板２１に係止具のみ周方向に沿って形成されるか、或いは水平部に高さの低い中空の円柱状、四角柱状、六角柱状などの垂直部が結合された底板２１の垂直部に係止具が形成され得る。
【００６３】
また、底板２１は前記垂直部の内側または外側にねじを形成し、このねじはボディ２３の下部の外側または内側に形成されるねじと結合できる。
【００６４】
また、底板２１は、ボディ２３と接着剤などで接着されるか、或いは溶着され得る。
【００６５】
ボディ２３は、底板２１の上側に結合されるものであって、中空の柱、すなわち円柱、四角柱、六角柱などの形状に形成され、下側は開放され、上側は中央部に穿設された貫通口２３１を有することができる。このボディ２３は、弾性部材１０を内部に収容した後、内部での収縮と膨張を可能にすると同時に、外部への流出を防止する。
【００６６】
圧縮部材２５は、ボディ２３の上側に備えられ、外部の衝撃に対応して上下に振動しながら弾性部材１０に外部の衝撃を伝達することができる。
【００６７】
すなわち、圧縮部材２５は、ボディ２３の内部でありながら弾性部材１０の上側に備えられるものであって、後述する圧縮板２５１のみから構成できる。この場合、ボディ２３の中央部の貫通口２３１を介して外部の衝撃が圧縮板２５１に伝達され、圧縮板２５１が上下に振動しながら弾性チップに衝撃を伝達する。
【００６８】
また、圧縮部材２５は、ボディ２３の内部でありながら弾性部材１０の上側に備えられる圧縮板２５１と、圧縮板２５１の上側に結合され、ボディ２３の貫通口２３１の上方へ突出する頸部２５３とを含んで構成できる。
【００６９】
圧縮板２５１は、貫通口２３１を塞ぐことにより、弾性チップが貫通口２３１を介して上方へ流出することを防止し、上側から加わる外部の衝撃に対応して上下に振動しながら弾性部材１０に衝撃を伝達する。このボディ２３には、弾性部材１０の容易な伸縮のために空気孔２３３を形成することができる。
【００７０】
頸部２５３は、圧縮板２５１に結合され、貫通口２３１の上方へ突出する。この頸部２５３は、圧縮板２５１と一体に形成されるか、或いは別個に形成された後に結合され得る。頸部２５３は、外部の衝撃を圧縮板２５１へ伝達するか、或いは後述の据置台４０を支持する。この頸部２５３の高さは、弾性部材１０が伸縮する程度、及び頸部２５３に設置される据置台４０などを考慮して決定する。
【００７１】
図２を参照すると、頸部２５３は、中実柱状であるか、中空柱状であるか、中空柱状でありながら内側にねじが形成されるか、或いは周方向に沿って互いに離隔して設置される複数の支持板から形成できる。
【００７２】
頸部２５３は、中空の円柱状でありながら、その内面にねじを形成することができる。この場合、頸部２５３のねじに結合され、回転することにより高さが調節される円柱状の据置台４０をさらに含むことができる。よって、据置台４０は、外面にねじが形成されて頸部２５３に堅固に結合され、同時に回転するにつれて高さが調節され得る。
【００７３】
頸部２５３は、中空の柱状、すなわち、円柱、三角柱、四角柱、六角柱などの形状に形成されるか、或いは複数の支持板が周方向に沿って隔設され得る。よって、柱状の据置台４０は、頸部２５３の内側に設置され、傾いたり離脱したりしない。
【００７４】
図３ａ乃至図３ｉを参照すると、頸部２５３の上側または据置台４０の上側には、支持部５０が設置できる。すなわち、据置台４０を備える場合には据置台４０の上側に、据置台４０を備えない場合には中実柱状の頸部２５３の上側に支持部５０を備えることができる。
【００７５】
支持部５０は、上側に角材５８の嵌め込まれる溝を有する形状に形成され、角材５８を支持することができる。支持部５０の平面形状は、一字状、Ｌ字状、Ｔ字状、十字状などの様々な形状にすることができる。十字状の支持部５０は主にスラブの中間に設置され、Ｌ字状の支持部５０はスラブのコーナーに設置され、Ｔ字状の支持部５０はスラブの端に設置される。これらの支持部５０の上側溝に角材５８を格子状に設置することができる。また、支持部５０にボールト孔を穿設して角材５８と結合することができる。
【００７６】
図３ｅ乃至図３ｉを参照すると、支持部５０は、その中心からボディ２３の外側へ延びる複数の水平部５１と、前記複数の水平部５１それぞれから下方に折り曲げられる垂直折曲部５３と、前記垂直折曲部５３から水平方向に折り曲げられる水平折曲部５４と、前記垂直折曲部５３と水平折部曲５４とを連結するハンチ部５６とを含むことができる。この垂直折曲部５３と水平折曲部５４とハンチ部５６が形成する空間に角材５８が挿入されて支持されることにより、角材５８が安定して支持され得る。この場合、水平部５１と垂直折曲部５３との間を連結する補助ハンチ部をさらに含むことができ、この補助ハンチ部は支持部５０の強度を増加させて角材５８をさらに安定して支持することができる。
【００７７】
ボディ２３に効果的に弾性部材１０を投入するために、ボディ２３の下端部に曲げ部６５を結合するか、或いはボディ２３の内部に圧縮調整容器６０を備えることができる。
【００７８】
曲げ部６５と圧縮調整容器６０は、弾性容器２０に弾性部材１０を容易に圧縮して投入することができるようにし、ボディ２３と底板２１とが結合されるまで弾性チップの離脱を防止する。
【００７９】
曲げ部６５は、ボディ２３の下端部に結合され、フレキシブルに曲げられることが好ましい。この曲げ部６５は、底板２１で押圧するときは、内側に曲げられながら弾性チップがボディ２３の外側への離脱を防止し、弾性チップが完全に圧縮された後は、曲げられた状態でボディ２３の内側に存在する。この曲げ部６５は、ボディ２３と一体に製造するか、或いはボディ２３と別個に製造した後に接着などで結合することができる。
【００８０】
曲げ部６５の高さは弾性チップの圧縮程度に応じて決定する。すなわち、弾性チップを大きく圧縮しようとする場合には曲げ部６５の高さを高くし、弾性チップを小さく圧縮しようとする場合には曲げ部６５の高さを低くする。
【００８１】
また、曲げ部６５は垂直方向に複数の切開部６５１を形成することができる。この切開部６５１は曲げ部６５がうまく曲げられるようにする。また、曲げ部６５の下端部外側に傾斜切り取り部６５３を形成することができる。この傾斜切り取り部６５３は、曲げ部６５が内側にうまく曲げられるようにする。
【００８２】
ボディ２３に曲げ部６５が結合された場合の衝撃及び騒音減衰装置は、次のとおりに製造することができる。まず、曲げ部６５が上側に位置するようにボディ２３を覆して設置し、このボディ２３の貫通口２３１に頸部２５３が下方へ突出するように圧縮部材２５を挿入し、ボディ２３と曲げ部６５の内側に弾性部材１０を投入した後、底板２１で弾性部材１０と曲げ部６５を一緒に押圧してボディ２３に結合する。
【００８３】
圧縮調整容器６０は、弾性部材１０を弾性容器２０に容易に圧縮して投入することができるようにし、ボディ２３と底板２１とが結合されるまで弾性チップの離脱を防止する。圧縮調整容器６０には空気孔が形成され得る。
【００８４】
前記圧縮調整容器６０は、上下側が開放された中空の円形、四角形、六角形など、ボディ２３と同じ形状に形成するか、或いは、袋のように折り畳まれた状態で用意され、使用の際に広げて円形、四角形、六角形などの形状に形成して使用することができる。
【００８５】
また、圧縮調整容器６０は、ボディ２３よりも長い長さで形成されるものであって、弾性部材１０の圧縮程度に応じて決定される。つまり、弾性部材１０を多く圧縮しようとする場合には圧縮調整容器６０の長さを長くし、弾性部材１０を少し圧縮しようとする場合には圧縮調整容器の長さを短くする。
【００８６】
また、圧縮調整容器６０は、予め必要な長さに切断して製造するか、或いは、一旦長く製造した後、使用の際に切断して使用することができる。いずれの場合であれ、ボディ２３と圧縮調整容器６０を別々に製造するので、ボディ２３と圧縮調整容器６０の製造が容易であり、また、必要とする圧縮量に合わせて圧縮調整容器６０を用意することができる。
【００８７】
ボディ２３の内部に圧縮調整容器６０が備えられる場合の衝撃及び騒音減衰装置は、次のとおりに製造することができる。まず、ボディ２３を覆して設置し、このボディ２３の貫通口２３に頸部２５３が下方へ突出するように圧縮部材２５を挿入した後、ボディ２３の内側に圧縮調整容器６０を設置し、この圧縮調整容器６０の内側に弾性部材１０を投入した後、底板２１で弾性部材１０と圧縮調整容器６０を一緒に押圧してボディ２３に結合する。
【００８８】
曲げ部６５と圧縮調整容器６０は、弾性部材１０を圧縮する前に曲げられず、弾性部材１０が散らばらないようにすることが好ましい。同時に、底板２１で押圧するときは、弾性部材１０と一緒に容易に変形することが好ましい。すなわち、本実施形態の衝撃及び騒音減衰装置は、弾性部材１０を単に投入するのではなく、圧縮して投入することにより、弾性力を増大させることがその目的である。
【００８９】
曲げ部６５と圧縮調整容器６０は、紙、ビニール、ＰＰ（ポリプロピレン）などからなり、ある程度の剛性を持つため、弾性チップを容易に投入することができ、すなわち、弾性チップを投入する間に曲げられたり変形したりせず、これと同時に底板２１で押圧するときに弾性チップの離脱が防止され、また、うまく曲げられて弾性部材１０の圧縮を容易にすることが好ましい。但し、曲げ部６５をボディ２３と一体に形成する場合、曲げ部６５をボディ２３の材質と同様にすることが好ましい。
【００９０】
図４ａ乃至図４ｃを参照すると、本発明の一例による衝撃及び騒音減衰装置を共同住宅浮き床構造に適用することができる。
【００９１】
つまり、床に複数の前述した衝撃及び騒音減衰装置を格子状に配置し、この格子状に配置された複数の衝撃及び騒音減衰装置の頸部２５３または据置台４０の上側を連結して床板設置ガイド７０を四角形の形状となるように設置した後、前記床板設置ガイド７０の上側同士の間に床板を設置することができる。よって、床板は前記床板設置ガイド７０同士の間に安定して支持できる。
【００９２】
床板設置ガイド７０は、上側が平らに形成された頸部２５３に直接設置するか、或いは、頸部２５３の上側に設置される据置台４０の上側に設置することができる。高さが調節される据置台４０の上側に設置される場合には、高さを容易に調節することができる
【００９３】
以下、添付図面を参照して、本発明の一例による衝撃及び騒音減衰装置の製造方法を詳細に説明する。一方、衝撃及び騒音減衰装置の詳細構成は前述した説明を参照する。
【００９４】
図１ｄ乃至図１ｆを参照すると、本発明の一例による衝撃及び騒音減衰装置の製造方法は、下側は開放され、上側は中央部に穿設された貫通口２３を有する中空柱状のボディ２３を覆して設置する第１段階と、圧縮板２５１と、前記圧縮板２５１の上側に結合される頸部２５３とを含む圧縮部材２５を覆して、前記ボディ２３の貫通口２３１の下方へ前記頸部２５３が突出するように設置する第２段階と、前記ボディ２３の内側に、上下側が開放され、前記ボディ２３よりも長さが長く且つ押圧の際に変形しやすい中空柱状の圧縮調整容器６０を設置する第３段階と、前記圧縮調整容器６０の内側に、多数の弾性チップが集まって構成される弾性部材１０を投入する第４段階と、底板２１で前記弾性部材１０と前記圧縮調整容器６０を一緒に押圧して圧縮した後、前記ボディ２３に結合する第５段階とを含むことができる。
【００９５】
ボディ２３を覆して設置する第１段階は、ボディ２３を覆して床に据え置く段階であって、ボディ２３の開放された下側が上にくるように床に据え置く段階である。この場合、貫通口２３１の下側へ頸部２５３が突出することに支障がないように、溝などが設けられなければならない。
【００９６】
圧縮部材２５を設置する第２段階は、圧縮部材２５を覆してボディ２３の貫通口２３１の下方へ頸部２５３が突出するように設置する段階である。
【００９７】
圧縮調整容器６０を設置する第３段階は、ボディ２３の内側に圧縮調整容器６０を設置する段階である。この段階では、圧縮調整容器６０の内側に投入される弾性部材１０（弾性チップ）の量、弾性部材１０の圧縮程度などを考慮して、予め切断するか或いは現場で切断して設置する。
【００９８】
弾性部材１０を投入する第４段階は、圧縮調整容器６０の内側に多数の弾性チップを投入する段階である。このとき、弾性部材１０を圧縮しようとする程度に応じて弾性チップの投入量を決定する。
【００９９】
底板２１をボディ２３に結合する第５段階は、底板２１で弾性部材１０を押圧して圧縮した後、底板２１をボディ２３に結合する段階である。この段階での底板２１とボディ２３との結合は様々な方法で行われ得る。つまり、締結具によって相互締結されるか、ねじで相互締結されるか、接着剤で接着されるか、或いは溶着され得る。
【０１００】
前記第５段階の後は、衝撃及び騒音減衰装置を覆す第６段階と、据置台４０を設置する第７段階をさらに含むことができる。
【０１０１】
衝撃及び騒音減衰装置を覆す第６段階は、前記第５段階で製造された衝撃及び騒音減衰装置を覆す段階であって、後述する段階で据置台４０などを設置することができるように衝撃及び騒音減衰装置を圧縮部材２５の頸部２５３が上にくるように床に据え置いて準備する段階である。
【０１０２】
据置台４０を設置する第７段階は、据置台４０を頸部２５３に結合して設置する段階である。この段階は、頸部２５３が中空の円柱状であり、その内面にねじが形成された場合、外面にねじが形成された据置台４０を設置する段階である。この場合、据置台４０を回転させて高さを調節することができる。
【０１０３】
また、本発明の他の一例による衝撃及び騒音減衰装置の製造方法は、弾性部材１０を予め圧縮調整容器６０に投入した後、密封して供給する方法である。
【０１０４】
この方法は、下側は開放され、上側は中央部に穿設された貫通口２３１を有する中空柱状のボディ２３を覆して設置するＡ段階と、圧縮板２５１と、前記圧縮板２５１の上側に結合される頸部２５３とを含む圧縮部材２５を覆して、前記ボディ２３の貫通口２３１の下方へ前記頸部２５３が突出するように設置するＢ段階と、多数の弾性チップが集まって構成される弾性部材１０が内側に投入された後、密封されるものであって、幅は前記ボディ２３の内側の幅と同一であり、長さは前記ボディ２３の長さよりも長く且つ押圧の際に変形しやすい柱状の圧縮調整容器６０を前記ボディ２３の内側に設置するＣ段階と、底板２１で前記弾性部材１０と前記圧縮調整容器６０を一緒に押圧して圧縮した後、前記ボディ２３に結合するＤ段階とを含むことができる。
【０１０５】
前記Ｃ段階は、弾性部材１０を圧縮調整容器６０に予め投入して密封製造したものをボディ２３の内側に設置する段階である。これは、ボディ２３の大きさ、投入される弾性部材１０の量、圧縮の程度などが決定された後、圧縮調整容器６０を決定し、これに弾性部材１０を投入して密封することにより、迅速かつ便利に作業を行う上で効果的である。
【０１０６】
この場合の圧縮調整容器６０には空気孔２３３が形成されることが好ましい。また、必要に応じて、ボディ２３にも空気孔２３３（図４ａ参照）を形成することができる。このような空気孔２３３は、弾性部材１０が容易に伸縮されるようにするためである。
【０１０７】
また、本発明の別の一例による衝撃及び騒音減衰装置の製造方法は、下側は開放されるとともに、フレキシブルに曲げられる曲げ部６５が結合され、上側は中央部に穿設された貫通口２３１を有する中空柱状のボディ２３を覆して設置するＩ段階と、圧縮板２５１と、前記圧縮板２５１の上側に結合される頸部２５３とを含む圧縮部材２５を覆して、前記ボディ２３の貫通口２３１の下方へ前記頸部２５３が突出するように設置するＩＩ段階と、前記ボディ２３と前記曲げ部６５の内側に、多数の弾性チップが集まって構成される弾性部材１０を投入するＩＩＩ段階と、底板２１で前記弾性部材１０と前記曲げ部６５を一緒に押圧して圧縮した後、前記ボディ２３に結合するＩＶ段階とを含むことができる。
【０１０８】
ボディ２３を覆して設置するＩ段階は、ボディ２３を覆して床に据え置く段階であって、ボディ２３の下側に結合された曲げ部６５が上にくるように床に据え置く段階である。この際、後述する段階で貫通口２３１の下方へ頸部２５３が突出することに支障がないように、床には溝などが設けられなければならない。
【０１０９】
圧縮部材２５を設置するＩＩ段階は、圧縮部材２５を覆して、ボディ２３の貫通口２３１の下方へ頸部２５３が突出するように設置する段階である。
【０１１０】
弾性部材１０を投入するＩＩＩ段階は、ボディ２３と曲げ部６５の内側に多数の弾性チップを投入する段階である。このとき、弾性部材１０を圧縮しようとする程度に応じて弾性チップの投入量を決定する。
【０１１１】
底板２１をボディ２３に結合するＩＶ段階は、底板２１で弾性部材１０と曲げ部６５を押圧して圧縮した後、底板２１をボディ２３に結合する段階である。この段階での底板２１とボディ２３との結合は様々な方法で行われ得る。すなわち、締結具によって相互締結されるか、ねじで相互締結されるか、接着剤で接着されるか、或いは溶着され得る。
【０１１２】
前記ＩＶ段階の後には、衝撃及び騒音減衰装置を覆す段階、及び据置台４０を設置する段階をさらに含むことができ、これについての詳細説明は、前述した実施形態の衝撃及び騒音減衰装置の製造方法を参照する。
【０１１３】
以上で、本発明の実施形態を構成するすべての構成要素が一つに結合するか、結合して動作するものと説明されたとして、本発明が必ずしもこれらの実施形態に限定されるものではない。つまり、本発明の目的の範囲内であれば、そのすべての構成要素が一つ以上選択的に結合して構成されることも動作することも可能である。また、以上で記載された「含む」、「構成する」または「有する」などの用語は、特に反対される記載がない限り、該当構成要素が内在することができることを意味するものなので、他の構成要素を除外するものではなく、他の構成要素をさらに含むことができると解釈されるべきである。技術的または科学的な用語を含むすべての用語は、別に定義されない限り、本発明の属する技術分野における通常の知識を有する者によって一般的に理解されるのと同じ意味がある。辞典に定義された用語のように一般的に使用される用語は、関連技術の文脈上の意味と一致するものと解釈されるべきであり、本発明で明らかに定義しない限り、理想的または過度に形式的な意味で解釈されない。
【０１１４】
以上の説明は本発明の技術思想を例示的に説明したものに過ぎず、本発明の属する技術分野における通常の知識を有する者であれば、本発明の本質的な特性から逸脱することなく、様々な修正及び変形が可能であろう。したがって、本発明に開示された実施形態は、本発明の技術思想を限定するためのものではないと説明するためのものであり、これらの実施形態によって本発明の技術思想の範囲が限定されるものではない。本発明の保護範囲は請求の範囲によって解釈されるべきであり、それと同等の範囲内にあるすべての技術思想は本発明の権利範囲に含まれるものと解釈されるべきである。
【符号の説明】
【０１１５】
１０    弾性部材
１２    吸音材
２０    弾性容器
２１    底板
２３    ボディ
２３１  貫通口
２３３  空気孔
２５    圧縮部材
２５１  圧縮板
２５３  頸部
４０    据置台
５０    支持部
５１    水平部
５３    垂直折曲部
５４    水平折曲部
５６    ハンチ部
５８    角材
６０    圧縮調整容器
６５    曲げ部
６５１  切開部
６５３  傾斜切り取り部
７０    床板設置ガイド
【図１ａ】
2019506547.tif 000003
【図１ｂ】
2019506547.tif 000004
【図１ｃ】
2019506547.tif 000005
【図１ｄ】
2019506547.tif 000006
【図１ｅ】
2019506547.tif 000007
【図１ｆ】
2019506547.tif 000008
【図２ａ】
2019506547.tif 000009
【図２ｂ】
2019506547.tif 000010
【図２ｃ】
2019506547.tif 000011
【図２ｄ】
2019506547.tif 000012
【図２ｅ】
2019506547.tif 000013
【図２ｆ】
2019506547.tif 000014
【図３ａ】
2019506547.tif 000015
【図３ｂ】
2019506547.tif 000016
【図３ｃ】
2019506547.tif 000017
【図３ｄ】
2019506547.tif 000018
【図３ｅ】
2019506547.tif 000019
【図３ｆ】
2019506547.tif 000020
【図３ｇ】
2019506547.tif 000021
【図３ｈ】
2019506547.tif 000022
【図３ｉ】
2019506547.tif 000023
【図４ａ】
2019506547.tif 000024
【図４ｂ】
2019506547.tif 000025
【図４ｃ】
2019506547.tif 000026
【国際調査報告】
2019506547.tif 000027
2019506547.tif 000028
2019506547.tif 000029
2019506547.tif 000030